(57)【要約】【課題】複数の加入者情報を備えることが可能な無線通信端末であって、電話網側が提供するサービスの開始又は停止などの設定変更に関する手間を軽減できる無線通信端末を提供する。【解決手段】電話番号を含む加入者情報を記憶したＩＣカード２１２，２１３を複数備えることが可能な電話機２は、加入者情報毎に、網側設備１でのサービスの開始・停止を要求するサービス設定変更手段としての機能、電話網との通信に使用する電話番号の切り替えを検出する切替検出手段としての機能、及び、切り替えが検出されたときに、通信に使用しない電話番号については網側設備１でのサービスの開始をサービス設定変更手段に要求させ、通信に使用する電話番号については網側設備１でのサービスの停止をサービス設定変更手段に要求させる制御手段としての機能を有するベースバンドプロセッサ２０３とを有する。【選択図】　　　図１
2004007190.tif 000002
【特許請求の範囲】
【請求項１】
電話番号を含む加入者情報を記憶した記憶装置を複数備えることが可能な無線通信端末であって、
前記加入者情報の読み取り手段と、
前記加入者情報毎に、網側設備でのサービスの開始又は停止を要求するサービス設定変更手段と、
電話網との通信に使用する電話番号への切り替えが行われたことを検出する切替検出手段と、
前記切替検出手段によって切り替えが検出されたときに、通信に使用しない前記電話番号については前記網側設備でのサービスの開始を前記サービス設定変更手段に要求させるとともに、通信に使用する前記電話番号については前記網側設備でのサービスの停止を前記サービス設定変更手段に要求させる制御手段と
を有することを特徴とする無線通信端末。
【請求項２】
前記網側設備でのサービスは、留守番電話サービス及び着信転送サービスのうちの少なくとも一方であることを特徴とする請求項１記載の無線通信端末。
【請求項３】
前記記憶装置は、ＩＣカードであり、
該ＩＣカードを着脱自在に複数枚備えることが可能であることを特徴とする請求項１又は２記載の無線通信端末。
【請求項４】
前記加入者情報は、無線通信端末本体と、該無線通信端末本体に着脱自在の装着される少なくとも１枚のＩＣカードとに備えられていることを特徴とする請求項１又は２記載の無線通信端末。
【請求項５】
前記ＩＣカードは、ＳＩＭ又はＵＩＭであることを特徴とする請求項３又は４記載の無線通信端末。
【請求項６】
前記サービス設定変更手段は、電話網に依存する所定の電話番号を発呼し、所定の信号を送出する機能を有することを特徴とする請求項１乃至５のいずれか一項記載の無線通信端末。
【請求項７】
前記無線通信端末は、メモリ手段を有し、
前記サービス設定変更手段は、前記メモリ手段に形成されたデータベースに記録されている手順に基づいて動作するものであることを特徴とする請求項１乃至６のいずれか一項記載の無線通信端末。
【請求項８】
前記サービス設定変更手段は、前記ＩＣカードに記録されている手順に基づいて動作するものであることを特徴とする請求項３乃至６のいずれか一項記載の無線通信端末。
【発明の詳細な説明】
【０００１】
【発明の属する技術分野】
本発明は、電話番号などの加入者情報を複数備えることが可能な携帯電話などの無線通信端末に関する。
【０００２】
【従来の技術】
従来の携帯電話は、一般に、端末内部に固有の端末番号（電話番号又はシリアル番号など）を電子的に保持する。この端末番号は、無線電話網への接続の際の認証又は課金に使用される。また、欧州で主に使用される携帯電話方式であるＧＳＭ（Ｇｌｏｂａｌ　Ｓｙｓｔｅｍ　ｆｏｒＭｏｂｉｌｅ　Ｃｏｍｍｕｎｉｃａｔｉｏｎｓ）方式、及び、次世代携帯電話と呼ばれるＩＭＴ−２０００（Ｉｎｔｅｒｎａｔｉｏｎａｌ　Ｍｏｂｉｌｅ　Ｔｅｌｅｃｏｍｍｕｎｉｃａｔｉｏｎ　２０００）方式においては、ＳＩＭ（Ｓｕｂｓｃｒｉｂｅｒ　Ｉｄｅｎｔｉｔｙ　Ｍｏｄｕｌｅ）及びＵＩＭ（Ｕｓｅｒ　Ｉｄｅｎｔｉｔｙ　Ｍｏｄｕｌｅ）というＩＣカードを携帯電話機に装着し、ＩＣカードに記録された加入者情報（電話番号、課金情報など加入者に関する情報）を用いて無線電話網との接続を行う方法が一般的になりつつある。
【０００３】
加入者に割り当てられた識別情報を記録したこのようなＩＣカードを利用することにより、ユーザはこのＩＣカードに対応した電話機に該ＩＣカードを装着することによりその識別情報を用いて無線電話網との通信を行うことができる。例えば、ＩＣカードのみ所有し、電話機本体は他者から借用して、自己のＩＣカードを借用した電話機を装着することにより自己の回線契約で電話機を使用することができる。また、使用している電話機の機種交換を行う場合でも回線契約を更新する必要がなく、新しい電話機を（回線契約を伴わずに）購入し、ＩＣカードを古い電話機から新しい電話機に移動することにより新しい電話機を使用することができる。また、新しい電話機と古い電話機を所持している場合は、ＩＣカードを差し替えることにより随時好きな方の電話機を使用することができる。また、音声通話用の電話機とデータ通信専用のＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）カード型電話機など使用目的の異なる複数の電話機に対して１枚のＩＣカード（１つの回線契約）を随時選択して使用することもできる。
【０００４】
一方、上記ＩＣカードは、電話会社（キャリア）との回線契約でユーザが取得するものである。そこで、サービスエリアやサービス内容の異なる複数の電話会社からそれぞれＩＣカードを取得し、１台の電話機に対して複数のＩＣカードを差し替えることにより、通話を行う場所及び求めるサービスによって任意の電話会社を選び、通信を行うこともできる。
【０００５】
欧州を中心に使用され多くの国でサービスされているＧＳＭ方式では、国又は地域を移動するとサービスを提供している電話会社が変わり、移動前に使用していたＩＣカードの識別情報では移動先において電話会社のサービスを受けることができないことが多い。このような場合、ユーザは移動先で例えばプリペイド方式のＩＣカードを購入し、使用している電話機に装着することにより移動先の電話会社からサービスを受けることが可能である。
【０００６】
１台の電話機で複数のＩＣカード（回線契約）を運用しようとする場合、ユーザは移動して電話会社が変わる場合など必要に応じてＩＣカードを差し替える操作が必要になる。この手間を軽減するために、１台の電話機に複数のＩＣカードが装着可能であって、通信に使用するＩＣカードを選択することができる電話機が提案されており、ＧＳＭ方式では実用化されている。
【０００７】
また、特開平１１−１９６４６３号公報では、電話機本体に記録された識別情報と少なくとも１つのＳＩＭのＩＣカードに記録された識別情報とを用いることによって１台の電話機で複数のＩＤ（識別コード）が使用可能な場合に、ＩＤの優先度を設定することにより、電源投入時にＩＤを自動的に選択してそのＩＤを用いて起動する電話機が提案されている。これは、１つの電話機が複数のＩＤを有する場合、どのＩＤを使用するかユーザが選択する必要があり操作が煩雑であったものを改善するものである。
【０００８】
【発明が解決しようとする課題】
しかしながら、１台の電話機に複数の上記ＩＣカードを装着する場合、それぞれのＩＣカードは、一般に、異なる電話会社との回線契約である、又は無線周波数が異なる（ＧＳＭの８００ＭＨｚ帯と１．８ＧＨｚ帯など）などの理由で必ずしも同時には使用することができない。
【０００９】
また、一般的な携帯電話などでは、回路サイズ及び消費電流などの問題によって、複数のＩＣカード毎に記録された識別情報を用いて同時に複数の無線電話網と接続することが困難である。このため、通常は、１つの電話機が複数のＩＣカードを装着していても、一度に無線電話網との接続に使用できるＩＣカードは１枚だけであり、他のＩＣカードの識別情報（電話番号など）は使用することができない。これは、各ＩＣカードに電話番号などが割り当てられている観点から考えると、１つの電話機が持つ複数の電話番号のうち、いかなる時点においても有効となるのは１つだけということとなる。
【００１０】
例えば、ある者が上記電話機の有する電話番号について発呼を行った場合、かかる電話番号がその発呼された時に有効となっている場合以外は、その発呼は失敗となり、その状態の電話機では着呼できないという問題がある。このとき、発呼を行った電話機では、相手の電話機が「圏外」又は「電源ＯＦＦ」の状態とみなされる。
【００１１】
一方、携帯電話及び自動車電話などの無線電話方式は、元来、常に接続可能状態となっていることが保証されるものではない。そこで、サービスエリア外、屋内、地下、建築物の影などにいるときなど接続できない場合があることを考慮して、留守番電話サービス及び着信転送サービスなどが主に電話会社により提供されている。なお、このネットワークサービスは、電話機内部に設けられている機能によるものではなく、交換局又はサービス制御局など電話網の設備側に設けられている機能によるものである。
【００１２】
そこで、上記の有効な唯一のＩＣカード以外のＩＣカードに対応した電話番号については、留守番電話サービスを受ける又は有効な電話番号への着信転送サービスを受けるという対策が考えられる。
しかし、この対策を講じたときでも、ユーザの操作によりＩＣカードを切り替える、又はサービスエリア間を移動してそれまで使用していたＩＣカードが使用不能となり、新たなＩＣカードに自動的に切り替わった場合など、その都度各ＩＣカードに対応した電話番号に対し、留守番電話の設定変更又は着信転送の開始・終了の操作をユーザが行わなければならず、煩雑な操作が必要になるという問題点がある。
ここで、着信転送の開始に設定するのは、それまで使用していたＩＣカードの電話番号であり、着信転送の終了に設定するのは、新たに使用するＩＣカードの電話番号である。
【００１３】
本発明は、このような事情に鑑みてなされたもので、複数の加入者情報を備えることが可能な無線通信端末であって、電話網側が提供するサービスの開始又は停止などについての設定変更に関する手間を軽減することができる無線通信端末を提供することを目的とする。
【００１４】
【課題を解決するための手段】
上記した目的を達成するために、請求項１記載の無線通信端末は、電話番号を含む加入者情報を記憶した記憶装置を複数備えることが可能な無線通信端末であって、前記加入者情報の読み取り手段と、前記加入者情報毎に、網側設備でのサービスの開始又は停止を要求するサービス設定変更手段と、電話網との通信に使用する電話番号への切り替えが行われたことを検出する切替検出手段と、前記切替検出手段によって切り替えが検出されたときに、通信に使用しない前記電話番号については前記網側設備でのサービスの開始を前記サービス設定変更手段に要求させるとともに、通信に使用する前記電話番号については前記網側設備でのサービスの停止を前記サービス設定変更手段に要求させる制御手段とを有することを特徴とする。
このようにすると、電話機などの無線通信端末が複数の加入者情報にそれぞれ含まれる電話番号を切り替えて使用する場合に、各電話番号の網側設備における留守番電話サービス又は着信転送サービスなどについての設定変更要求を自動的に実行するので、電話網側が提供するサービスについての設定変更に関するユーザの手間を大幅に軽減することができる。
【００１５】
請求項２記載の無線通信端末において、前記網側設備でのサービスは、留守番電話サービス及び着信転送サービスのうちの少なくとも一方であることを特徴とする。
【００１６】
請求項３記載の無線通信端末において、前記記憶装置は、ＩＣカードであり、該ＩＣカードを着脱自在に複数枚備えることが可能であることを特徴とする。
【００１７】
請求項４記載の無線通信端末において、前記加入者情報は、無線通信端末本体と、該無線通信端末本体に着脱自在の装着される少なくとも１枚のＩＣカードとに備えられていることを特徴とする。
【００１８】
請求項５記載の無線通信端末において、前記ＩＣカードは、ＳＩＭ又はＵＩＭであることを特徴とする。
【００１９】
請求項６記載の無線通信端末において、前記サービス設定変更手段は、電話網に依存する所定の電話番号を発呼し、所定の信号を送出する機能を有することを特徴とする。
【００２０】
請求項７記載の無線通信端末において、前記無線通信端末は、メモリ手段を有し、前記サービス設定変更手段は、前記メモリ手段に形成されたデータベースに記録されている手順に基づいて動作するものであることを特徴とする。
【００２１】
請求項８記載の無線通信端末において、前記サービス設定変更手段は前記ＩＣカードに記録されている手順に基づいて動作するものであることを特徴とする。
【００２２】
【発明の実施の形態】
以下、図面を参照して本発明の実施の形態を構成と動作に分けて説明する。
（構成）
図１は、本発明の一実施形態に係る電話機と網側設備の概略構成を示すブロック図である。図１において網側設備１は、第１電話会社の網側設備１１と第２電話会社の網側設備１２を有する。第１電話会社の網側設備１１は、電話機と無線通信する基地局１１１と、電話機間の呼の接続を回線交換する交換局１１２と、加入者情報及び付加サービスなどについて制御するサービス制御局１１３を有する。サービス制御局１１３は、移動局情報を記憶するデータベース１１４を有する。
【００２３】
第２電話会社の網側設備１２は、電話機と無線通信する基地局１２１と、電話機間の呼の接続を回線交換する交換局１２２と、加入者情報及び付加サービスなどについて制御するサービス制御局１２３を有する。サービス制御局１２３は、移動局情報を記憶するデータベース１２４を有する。
データベース１１４，１２４は、それぞれの電話会社の加入者情報を記憶し、各電話機（移動局）に固有の電話番号、呼び出しのための位置情報、留守番電話サービス及び着信転送サービスについての設定情報を保持している。
【００２４】
電話機２は、網側設備１の基地局１１１，１２１と通信するためのアンテナ２０１と、ＲＦ回路２０２と、送受信される信号の処理のみならず電話機の機能全体の制御をするベースバンドプロセッサ２０３と、ユーザとのインタフェースとなる表示部２０４及びキー操作部２０５と、スピーカからなる受話器２０６と、マイクロホンからなる送話器２０７と、ベースバンドプロセッサ２０３によって読み書きされるメモリ２０８と、２つのＩＣカードスロット２１０，２１１を有する。
【００２５】
ベースバンドプロセッサ２０３は、ＩＣカードスロット２１０，２１１に差し込まれたＩＣカードから加入者情報の読み取る手段、記加入者情報毎に、網側設備１でのサービスの開始又は停止を要求するサービス設定変更手段、電話網との通信に使用する電話番号への切り替えが行われたことを検出する切替検出手段、切替検出手段によって切り替えが検出されたときに、通信に使用しない電話番号については網側設備１でのサービスの開始をサービス設定変更手段に要求させるとともに、通信に使用する電話番号については網側設備１でのサービスの停止をサービス設定変更手段に要求させる制御手段として機能する。
【００２６】
メモリ２０８は、各ＩＣカードに保持される加入者情報（電話番号を含む）に対応した電話会社による留守番電話及び着信転送などの各種サービスについて、開始又は停止を要求する手順を示すデータを保持する操作手順データベース２０９を有する。ＩＣカードスロット２１０，２１１には、第１電話会社に接続可能な加入者情報を保持した第１ＩＣカード２１２、又は第２電話会社に接続可能な加入者情報を保持した第２ＩＣカード２１３が装着可能である。
【００２７】
第１ＩＣカード２１２及び第２ＩＣカード２１３は、ＳＩＭ又はＵＩＭの仕様に準拠しており、加入者情報として、電話会社の識別情報、電話番号、ユーザＩＤ及び通話料金など保持し、付加情報として、各種サービスに関する情報、メモ及び電話帳などを保持している。
【００２８】
操作手順データベース２０９は、電話機２のＩＣカードスロット２１０，２１１に装着される複数のＩＣカードに保持された加入者情報に対応する電話会社の網側設備における留守番電話サービス及び着信転送サービスなどの各種ネットワークサービスを開始又は終了するように要求する手順を保持する。この要求手順は、各ＩＣカード毎に設定されている。また、要求手順の内容は、ネットワークサービスの開始又は終了手順を実行するときの発呼先の電話番号（サービス特番）、及び接続後のＤＴＭＦ（Ｄｉａｌ　Ｔｏｎｅ　Ｍｕｌｔｉ　Ｆｒｅｑｕｅｎｃｙ）トーンなどによる送出内容などのシーケンスである。ここで、送出内容とは操作対象の電話番号、暗証番号、その他操作コードなどであり、シーケンスとは順序、タイミングなどである。発呼先の電話番号及び送出内容などのシーケンスは、電話機の製造業者により予め設定されているか、又はユーザにより予め編集される。
【００２９】
また、操作対象の電話番号は、各ＩＣカードに対応した電話番号であって、各ＩＣカードに保持されている。そこで、ベースバンドプロセッサ２０３は、ＩＣカードスロット２１０又はＩＣカードスロット２１１に装着されたＩＣカードから操作対象の電話番号を読み出して操作手順データベース２０９に記録する。
また、暗証番号については、ユーザの操作により予め登録される。
【００３０】
操作手順データベース２０９に保持される第１ＩＣカード２１２と第２ＩＣカード２１３に対応した操作手順は、例えば、以下のような内容である。
＜第１ＩＣカード２１２＞
ＩＣカード番号：１
ＩＣカード固有電話番号：０ＭＭ−ＮＮＮＮ−ＰＰＰＰ
サービス操作暗証番号：ＱＱＱＱ
ＩＣカード使用開始時操作手順
発呼番号：０ＡＡ−ＡＡＡＡ−ＸＸＸＸ
操作手順：発呼→接続待ち→「ＩＣカード固有電話番号」送出→「サービス操作暗証番号」送出→「１」送出→終話（切断）
ＩＣカード使用終了時操作手順
発呼番号：０ＡＡ−ＡＡＡＡ−ＹＹＹＹ
操作手順：発呼→接続待ち→「ＩＣカード固有電話番号」送出→「サービス操作暗証番号」送出→「１」送出→終話（切断）
＜第２ＩＣカード２１３＞
ＩＣカード番号：２
ＩＣカード固有電話番号：０ＲＲ−ＳＳＳＳ−ＴＴＴＴ
サービス操作暗証番号：ＵＵＵＵ
ＩＣカード使用開始時操作手順
発呼番号：０ＢＢ−ＢＢＢＢ−ＺＺＺＺ
操作手順：発呼→接続待ち→「ＩＣカード固有電話番号」送出→「１」送出→「サービス操作暗証番号」送出→「１」送出→「１」送出→「１」送出→終話（切断）
ＩＣカード使用終了時操作手順
発呼番号：０ＢＢ−ＢＢＢＢ−ＺＺＺＺ
操作手順：発呼→接続待ち→「ＩＣカード固有電話番号」送出→「１」送出→「サービス操作暗証番号」送出→「１」送出→「２」送出→「１」送出→終話（切断）
【００３１】
上記操作手順の例では、操作手順データベース２０９において、第１ＩＣカード２１２がＩＣカード番号：１として記憶される。また、第１ＩＣカード２１２が保持する電話番号であって第１電話会社の網側設備１１と接続するためのＩＣカード固有電話番号「０ＭＭ−ＮＮＮＮ−ＰＰＰＰ」、サービスの操作（要求）に必要なサービス操作暗証番号「ＱＱＱＱ」、ＩＣカード使用開始時の操作手順として着信転送サービスの解除のための発呼番号（サービス特番）「０ＡＡ−ＡＡＡＡ−ＸＸＸＸ」と操作手順、及び、ＩＣカード使用終了時の操作手順として着信転送サービスの開始のための発呼番号「０ＡＡ−ＡＡＡＡ−ＹＹＹＹ」と操作手順が、操作手順データベース２０９において記録される。
ここで、ＩＣカード使用開始時とは、それまで他のＩＣカードを使用していたか又は電源投入されていなかたことにより、そのＩＣカードが使用されていなかった状態から、該ＩＣカードの保持する加入者情報を用いて網側設備との通信ができるようになった時をいう。
なお、開始及び終了の操作手順は、第１電話会社のサービス制御局１１４に対しサービスの制御（要求）をするための手順である。
【００３２】
また、上記操作手順の例において、第２ＩＣカード２１３がＩＣカード番号：２として、操作手順データベース２０９において第１ＩＣカード２１２の場合と同様に記憶される。しかし、第２ＩＣカード２１３のＩＣカード固有電話番号及び操作手順は第２電話会社の網側設備１２に対応し、留守番電話サービスを開始又は終了するものとなっている。
【００３３】
第１ＩＣカード２１２と第２ＩＣカード２１３の操作手順における相違点は、発呼番号だけではない。ネットワークサービス（留守番電話又は着信転送）の開始又は終了については、第１ＩＣカード２１２では発呼番号の下４桁で指定しているが、第２ＩＣカード２１３では同一番号に発呼した後にトーン操作で指定することを想定している。そのため、第２ＩＣカード２１３では、発呼した後に、入力するトーン操作の回数が増えている。
【００３４】
なお、上記操作手順の例において、トーン操作の意味は、第１ＩＣカード２１２の場合、最後の「１」の送出が切替の確認を示し、第２ＩＣカード２１３の場合、ＩＣカード固有電話番号及びサービス操作暗証番号の送出後の「１」がそれぞれ「この番号でよろしいですか？」に相当する確認を示し、「２」が開始・終了のうちの終了を示し、最後の「１」の送出が切替の確認を示している。
【００３５】
なお、操作手順データベース２０９は、電話機２のＩＣカードスロット２１０，２１１に装着することが可能な他の電話会社のＩＣカードに対応した情報を保持することもできる。
【００３６】
（動作）
次に、上記構成の電話機２の動作について図２を参照して説明する。図２は、電話機２の動作を示すフローチャートである。図２に示す動作において、ステップＳ２からステップＳ１１は主に第１ＩＣカード２１２（ＩＣカード１）で通信するための処理であり、ステップＳ１２からステップＳ２１は主に第２ＩＣカード２１３（ＩＣカード２）で通信するための処理である。
【００３７】
先ず、電話機２に電源投入され（ステップＳ１）、その後、電話機２のベースバンドプロセッサ２０３は、メモリ２０８に記憶されている情報であって電話機２で使用されるＩＣカードの変更を示すフラグ（以下、フラグという）に「１」をセットする（ステップＳ２）。
【００３８】
次いで、ベースバンドプロセッサ２０３は、ＩＣカードスロット２１０，２１１に第１ＩＣカード２１２（ＩＣカード１）が装着されているか判断する（ステップＳ３）。
ステップＳ３で第１ＩＣカード２１２が装着されていると判断した場合、ベースバンドプロセッサ２０３は、その第１ＩＣカード２１２から加入者情報を読み出し、第１電話会社の網側設備１１の捕捉と所定の制御情報の送受信を行うことにより、通信（登録及び待ち受け）可能状態に移行するための手順を実行する（ステップＳ４）。次いで、ベースバンドプロセッサ２０３は、電話機２が第１電話会社の網側設備１１の無線サービスエリア外（圏外）に存在するなどの理由で通信不可能状態であるか判断する（ステップＳ５）。
【００３９】
ステップＳ５で、通信可能状態であると判断した場合、すなわち第１ＩＣカード２１２の加入者情報を用いて第１電話会社の網側設備１１と通信可能になった時点で、ベースバンドプロセッサ２０３はフラグに「１」がセットされているか判断する（ステップＳ６）。
【００４０】
ステップＳ６でフラグに「１」がセットされていると判断した場合、ベースバンドプロセッサ２０３は、第１ＩＣカード２１２の加入者情報の電話番号に対応する第１電話会社の着信転送サービスを停止する操作手順を操作手順データベース２０９から読み出して実行し、第１電話会社のサービス制御局１１３に着信転送サービスの停止を要求する（ステップＳ７）。
すると、サービス制御局１１３は、データベース１１４を操作し、着信転送サービスを停止する。
【００４１】
ステップＳ７の後、ベースバンドプロセッサ２０３は、第２ＩＣカード２１３（ＩＣカード２）の加入者情報の電話番号に対応する第２電話会社の留守番電話サービスを開始する操作手順を操作手順データベース２０９から読み出して実行し、第２電話会社のサービス制御局１２３に留守番電話サービスの開始を要求する（ステップＳ８）。
すると、サービス制御局１２３は、データベース１２４を操作し、留守番電話サービスを開始する。
【００４２】
ステップＳ８の後、ベースバンドプロセッサ２０３は、フラグに「０」をセットする（ステップＳ９）。
次いで、ベースバンドプロセッサ２０３は、第１ＩＣカード２１２の加入者情報を用いて、第１電話会社の網側設備１１からの着呼を待ち受け、通信（通話）を行う（ステップＳ１０）。
【００４３】
ステップＳ１０の後、ベースバンドプロセッサ２０３は、ユーザの操作によるＩＣカードの変更（切替）が行われたか判断する（ステップＳ１１）。
ステップＳ１１でＩＣカードの変更と判断されなかった場合は、上記ステップＳ５の処理に戻る。
【００４４】
ステップＳ１１でＩＣカードの変更と判断された場合、ベースバンドプロセッサ２０３はフラグに「１」をセットする（ステップＳ１２）。
次いで、ベースバンドプロセッサ２０３は、ＩＣカードスロット２１０，２１１に第２ＩＣカード２１３（ＩＣカード２）が装着されているか判断する（ステップＳ１３）。
【００４５】
ステップＳ１３で第２ＩＣカード２１３が装着されていると判断した場合、ベースバンドプロセッサ２０３は、その第２ＩＣカード２１３から加入者情報を読み出し、第２電話会社の網側設備１２の捕捉と所定の制御情報の送受信を行うことにより、通信（登録及び待ち受け）可能状態に移行するための手順を実行する（ステップＳ１４）。次いで、ベースバンドプロセッサ２０３は、電話機２が第２電話会社の網側設備１２の無線サービスエリア外（圏外）に存在するなどの理由で通信不可能状態であるか判断する（ステップＳ１５）。
【００４６】
ステップＳ１５で、通信可能状態であると判断した場合、すなわち第２ＩＣカード２１３の加入者情報を用いて第２電話会社の網側設備１２と通信可能になった時点で、ベースバンドプロセッサ２０３はフラグに「１」がセットされているか判断する（ステップＳ１６）。
【００４７】
ステップＳ１６でフラグに「１」がセットされていると判断した場合、ベースバンドプロセッサ２０３は、第２ＩＣカード２１３の加入者情報の電話番号に対応する第２電話会社の留守番電話サービスを停止する操作手順を操作手順データベース２０９から読み出して実行し、第２電話会社のサービス制御局１２３に留守番電話サービスの停止を要求する（ステップＳ１７）。
すると、サービス制御局１２３は、データベース１２４を操作し、留守番電話サービスを停止する。
【００４８】
ステップＳ１７の後、ベースバンドプロセッサ２０３は、第１ＩＣカード２１２の加入者情報の電話番号に対応する第１電話会社の着信転送サービスを開始する操作手順を操作手順データベース２０９から読み出して実行し、第１電話会社のサービス制御局１１３に着信転送サービスの開始を要求する（ステップＳ１８）。
すると、サービス制御局１１３は、データベース１１４を操作し、着信転送サービスを開始する。
【００４９】
ステップＳ１８の後、ベースバンドプロセッサ２０３は、フラグに「０」をセットする（ステップＳ１９）。
次いで、ベースバンドプロセッサ２０３は、第２ＩＣカード２１３の加入者情報を用いて、第２電話会社の網側設備１２からの着呼を待ち受け、通信（通話）を行う（ステップＳ２０）。
【００５０】
ステップＳ２０の後、ベースバンドプロセッサ２０３は、ユーザの操作によるＩＣカードの変更（切替）が行われたか判断する（ステップＳ２１）。
ステップＳ２１でＩＣカードの変更と判断されなかった場合は、上記ステップＳ１５の処理に戻る。
ステップＳ２１でＩＣカードの変更と判断された場合は、上記ステップＳ２の処理に戻る。
【００５１】
上記ステップＳ３で第１ＩＣカード２１２が装着されていないと判断した場合は、ステップＳ１２の処理に行く。上記ステップＳ５で通信可能状態ではないと判断した場合も、ステップＳ１２の処理に行く。
上記ステップＳ６でフラグに「１」がセットされていないと判断した場合は、ステップＳ１０の処理に行く。
【００５２】
上記ステップＳ１３で第２ＩＣカード２１３が装着されていないと判断した場合は、ステップＳ２の処理に戻る。上記ステップＳ１５で通信可能状態ではないと判断した場合も、ステップＳ２の処理に戻る。
上記ステップＳ１６でフラグに「１」がセットされていないと判断した場合は、ステップＳ２０の処理に行く。
【００５３】
これらにより、ステップＳ２からステップＳ１１の処理によって、第１ＩＣカード２１２（ＩＣカード１）の電話番号で通信することが可能になるとともに、第２ＩＣカード２１３（ＩＣカード２）の電話番号について留守番電話サービスを受けることができる。また、ステップＳ１２からステップＳ２１の処理によって、第２ＩＣカード２１３（ＩＣカード２）の電話番号で通信することが可能になるとともに、第１ＩＣカード２１２（ＩＣカード２）の電話番号について着信転送サービスを受けることができる。
【００５４】
したがって、本実施形態によれば、２つのＩＣカードが装着可能な電話機２において、使用するＩＣカードの切り替えが発生するたびに、使用できなくなるＩＣカードに対応する電話番号については留守番電話サービス又は着信転送サービスを開始させるので、待ち受けできない電話番号に対する着呼にも適切に処理することができる。また、本実施形態によれば、使用するＩＣカードの切り替えが発生するたびに、新たに使用するＩＣカードに対応する電話番号については留守番電話サービス又は着信転送サービスを終了させるので、その新たに使用するＩＣカードに対応する電話番号についての着呼を自動的に正常に行えるようにすることができる。
なお、新たに使用するＩＣカードに対応する電話番号については、それまで留守番電話サービス又は着信転送サービスを受けているので、かかるサービスを解除しないと着呼することができない。そこで、本実施形態によれば、かかるサービスの解除を自動的に行うことができる。
【００５５】
以上、本発明の実施形態について図面を参照して詳述してきたが、具体的な構成はこの実施形態に限られるものではなく、本発明の要旨を逸脱しない範囲の設計変更等も含まれる。
【００５６】
例えば、上記実施形態では、電話機２に２つのＩＣカードが装着可能な構成としたが、本発明はこれに限定されるものではなく、電話機２に３つ以上のＩＣカードが装着可能な構成としてもよい。
また、電話機２自体（本体）がその電話機固有の加入者情報を持ち、さらにその電話機２が１つ以上のＩＣカードが装着可能な構成として、複数の加入者情報（電話番号）を１つの電話機が備えることとしても、本発明を適用することができる。
【００５７】
また、電話機２の操作手順データベース２０９は、メモリ２０８に形成されている構成に限らず、各ＩＣカード内の記憶手段のユーザ領域に形成してもよい。また、上記実施形態では電話会社のサービスについて開始又は終了を要求する操作手順そのものをＩＣカード毎にユーザが予め設定する必要があるが、本発明はこれに限定されず、ＩＣカードに記憶されている電話会社識別情報に基づき、各電話会社又は電話機製造業者などの第三者が網側に用意した操作手順データベースを参照して、該操作手順を設定することとしてもよい。
【００５８】
また、ＩＣカードスロットにＩＣカードが装着されているかの確認は、電源投入時に一度だけ行うこととし、さらにフラグのセット／リセットはＩＣカードの切り替えがあった場合のみ行うこととしてもよい。これにより、例えば、第１ＩＣカードを使用した後、第１ＩＣカードの電話番号が圏外などで使用不能となったときに、第２ＩＣカードの電話番号で待ち受けを試みて同じく圏外で失敗し、再び第１ＩＣカードの使用に戻った場合などは、留守番電話サービス又は着信転送サービスの設定変更が不要となる。
【００５９】
また、操作手順データベース２０９において、各ＩＣカードに対応する操作手順レコードの操作内容を増やし、例えば、留守番電話サービス、伝言サービス、着信転送サービスなどの複数のサービスの操作手順を記憶させておいてもよい。そして、電源オフ時、すなわち全てのＩＣカードの電話番号が使用できない状態のときには、各ＩＣカードの電話番号について留守番電話サービスを受け、電源オン時に使用するＩＣカードの電話番号について留守番電話サービスを解除し、他の電話番号の留守番電話サービスを着信転送サービスなどのユーザ指定のサービスに切り替える構成としてもよい。
【００６０】
また、上記実施形態における電話機の代わりに、無線通信機能を備えた携帯型パーソナル・コンピュータ又はＰＤＡ（Ｐｅｒｓｏｎａｌ　Ｄｉｇｉｔａｌ　Ａｓｓｉｓｔａｎｃｅ）などに本発明を適用してもよい。
【００６１】
【発明の効果】
以上の説明で明らかなように、本発明によれば、１つの電話機などの無線通信端末が複数の加入者情報を備え、その複数の加入者情報にそれぞれ含まれる電話番号を切り替えて使用する場合に、各電話番号の網側設備における留守番電話サービス又は着信転送サービスなどについての設定変更要求を自動的に実行するので、使用する電話番号の切り替え毎に従来必要であった煩雑な設定変更要求についてのユーザ自身の操作が不要となり、ユーザにとって利便性の高い無線通信端末を提供することができる。
【００６２】
また、本発明によれば、無線通信端末が備える複数の電話番号における使用されていない電話番号への着呼について、留守番電話サービス又は着信転送サービスなどを受ける適切な処理をすることができ、使用されていない電話番号についての着呼を受け取れないという事態を回避することができる。
【００６３】
また、本発明によれば、無線通信端末が備える複数の電話番号における使用する電話番号が切り替えられたときに、それまで使用されていて切り替え後に使用されなくなる電話番号について、留守番電話サービス又は着信転送サービスなどを受ける設定に自動的に変更することができ、使用されていない電話番号についての着呼を受け取れないという事態を回避することができる。
【図面の簡単な説明】
【図１】本発明の一実施形態に係る電話機と網側設備の概略構成を示すブロック図である。
【図２】同上の実施形態における電話機の動作を示すフローチャートである。
【符号の説明】
１…網側設備、２…電話機、１１…第１電話会社の網側設備、１２…第２電話会社の網側設備、１１１…基地局、１１２…交換局、１１３…サービス制御局、１１４…データベース、１２１…基地局、１２２…交換局、１２３…サービス制御局、１２４…データベース、２０１…アンテナ、２０２…ＲＦ回路、２０３…ベースバンドプロセッサ、２０４…表示部、２０５…キー操作部、２０６…受話器、２０７…送話器、２０８…メモリ、２０９…操作手順データベース、２１０…ＩＣカードスロット、２１１…ＩＣカードスロット、２１２…第１ＩＣカード、２１３…第２ＩＣカード
【図１】
2004007190.tif 000003
【図２】
2004007190.tif 000004